(57)【要約】【課題】  アイマスクにおいて、顔面に被せるように乗せるのみで、両眼を覆って顔面に保持することができるようにする。【解決手段】  アイマスク本体１は、弾性を有する横長形状の不透過性合成樹脂板から弓形に湾曲形成され、両眼を覆って顔面に付けられる。当接部１１、１３はアイマスク本体１の先端近傍にほお骨に当接するよう形成される。鼻嵌合部１５は当該アイマスク本体１の弓形湾曲膨出方向と同方向に湾曲突出され、一方の長辺１７の中央部から他方の長辺１９に向けて形成される。【選択図】  図１
2008289691.tif 000002
【特許請求の範囲】
【請求項１】
弾性を有する横長形状の剛体板材料から形成されてなり、両眼を覆って顔面に付けられるアイマスク本体を有し、
このアイマスク本体が当該長手方向両側の先端間を狭めるように弓形に湾曲形成され、前記先端近傍がほお骨に当接する当接部を形成してなることを特徴とするアイマスク。
【請求項２】
前記アイマスク本体において、前記アイマスク本体の弓形湾曲膨出方向と同方向に湾曲突出された鼻嵌合部が、一方の前記長辺の中央部から他方の長辺に向けて湾曲形成された請求項１記載のアイマスク。
【請求項３】
前記アイマスク本体が不透過性材料で形成された請求項１又は２記載のアイマスク。
【請求項４】
前記アイマスク本体において、他方の前記長辺に沿ってこの近傍が前記アイマスク本体の弓形湾曲膨出方向と逆方向に湾曲形成された請求項２又は３記載のアイマスク。
【発明の詳細な説明】
【技術分野】
【０００１】
本発明はアイマスクに係り、理髪店又は美容院での洗髪や、歯科医療現場において両眼を覆うために顔面に付けられるアイマスクの改良に関する。
【背景技術】
【０００２】
理髪店や美容院での洗髪、歯科医療現場では、仰向けの状態で洗髪又は医療を受けることから、水しぶきや塵が眼に入るのを防止するため、タオルを顔面に乗せて両眼を覆うことが多い。
【０００３】
ところが、タオルを顔面に乗せて両眼を覆うと、タオルがうっとうしく感じられたり見栄えが良くない場合がある。
【０００４】
そこで、例えば特開２０００−１８５０７１号公報（特許文献１）に示すような患者用顔面保護具が提案されている。
【０００５】
この特許文献１の構成は、透明で柔軟性のあるシートからなるアイマスクの下両端にクリップを設けてなり、両眼を保護するとともに、クリップにタオルを止めて口のまわりを保護しようとするものである。
【０００６】
さらに、特開２００４−２８３４５１号公報（特許文献２）に示すアイマスクも提案されている。
【０００７】
この特許文献２は、断熱性を有する目隠し部と、この目隠し部の一面側の外側に突設されて眼の周囲を覆う柔軟性でかつ断熱性の凸条縁部と、その目隠し部の両端部に配置されたバンド取り付け部とを有し、目やその周囲を圧迫せずに、長時間又は繰り返し使用可能なアイマスクを提供するものである。
【特許文献１】特開２０００−１８５０７１号公報
【特許文献２】特開２００４−２８３４５１号公報
【発明の開示】
【発明が解決しようとする課題】
【０００８】
しかしながら、上述した特許文献１は、単に、アイマスクとして板状のシート形状を提案するのみで、実際には顔面に固定する構成がないと実用化できず、このままでは使用に不便を来すうえ、見栄えも良くない。
【０００９】
さらに、特許文献２は、バンド取り付け部に取り付けたゴム製バンドによってユーザの頭部に固定する構成を提供するので、扱いや使用が面倒であるうえ、頭髪にゴム製バンドの跡が残り易く、ユーザに敬遠され易い。
【００１０】
本発明はそのような課題を解決するためになされたもので、両眼を中心として顔面を覆うことが可能で、着脱が容易で扱い易いアイマスクの提供を目的とする。
【課題を解決するための手段】
【００１１】
そのような課題を解決するために本発明に係るアイマスクは、弾性を有する横長形状の剛体板材料から形成されてなり、両眼を覆って顔面に付けられるアイマスク本体を有し、このアイマスク本体が当該長手方向両側の先端間を狭めるように弓形に湾曲形成され、前記先端近傍がほお骨に当接する当接部を形成して構成されている。
【００１２】
本発明のアイマスクでは、上記アイマスク本体において、当該アイマスク本体の弓形湾曲膨出方向と同方向に湾曲突出された鼻嵌合部を、一方の前記長辺の中央部から他方の長辺に向けて湾曲形成する構成とすることが好ましい。
【００１３】
本発明のアイマスクでは、上記アイマスク本体を不透過性材料で形成する構成も可能である。
【００１４】
本発明のアイマスクでは、上記アイマスク本体において、他方の長辺に沿ってこの近傍が当該アイマスク本体の弓形湾曲膨出方向と逆方向に湾曲形成された構成も可能である。
【発明の効果】
【００１５】
このような本発明に係るアイマスクでは、両眼を覆って顔面に付けられるアイマスク本体を、弾性を有する横長形状の剛体板材料から形成するとともに、当該長手方向両側の先端間を狭めるように弓形に湾曲形成し、それら先端近傍に形成した当接部によってほお骨に当接可能に構成したから、アイマスク本体を顔面に被せるように乗せるのみで、両眼を覆って保持することが可能であり、着脱が容易で扱い易い。
【００１６】
本発明のアイマスクにおいて、上記アイマスク本体に鼻嵌合部を設けた構成では、顔面の鼻が収まる空所があるから、顔面に収まり易くずれ難くなる。
【００１７】
本発明のアイマスクにおいて、上記アイマスク本体を不透過性材料で形成する構成では、アイマスクを使用するユーザから外部が見えにくくなり、安心感も得やすい。
【００１８】
本発明のアイマスクにおいて、上記アイマスク本体において、鼻嵌合部から離れた他方の長辺をアイマスク本体の弓形湾曲膨出方向と逆方向に湾曲形成する構成では、ユーザの額部分との隙間を狭めることが容易で、水しぶきは塵が眼に入るのをより一層防止可能である。
【発明を実施するための最良の形態】
【００１９】
以下、本発明の実施の形態を図面を参照して説明する。
【００２０】
図１、図２および図３は本発明に係るアイマスクの実施の形態を示す平面図、斜視図、底面図である。
【００２１】
図１〜図３において本発明に係るアイマスクは、弾性を有する横長形状の剛体板材料、例えば不透過性の合成樹脂板から概略長方形に形成されるとともに、一般的な顔の輪郭に沿った弓形に湾曲成形加工されたアイマスク本体１で構成されている。
【００２２】
すなわち、アイマスク本体１は、図１に示すように、当該長手方向両側の先端３、５間を狭めるように間が弓形に湾曲形成され、それら先端３、５近傍がユーザＡのほお骨７、９に当接する当接部１１、１３を形成して構成されている。
【００２３】
しかも、アイマスク本体１は、図２および図３に示すように、当該アイマスク本体１の弓形湾曲膨出方向と同方向に屈曲形成して湾曲突出された鼻嵌合部１５を有している。
【００２４】
鼻嵌合部１５は、アイマスク本体１における一方（図中下辺）の長辺１７の中央部から他方（図中上辺）の長辺に向けて徐々に浅く形成され、他方（図中上辺）の長辺１９近傍に至らない寸法で形成されている。
【００２５】
そのため、図１中のＩＶ−ＩＶ間断面である図４に示すように、アイマスク本体１をユーザＡの顔面に乗せると、鼻嵌合部１５にユーザＡの鼻２１が収まることになる。なお、鼻孔に相当する部分は開放されている。
【００２６】
なお、一方（図中下辺）の長辺１７において、鼻嵌合部１５の両側部分は、当該アイマスク本体１の弓形湾曲膨出方向と逆方向に窪むように屈曲形成することも可能である。
【００２７】
次に、本発明のアイマスクの使用例を図４および図５を参照して簡単に説明する。
【００２８】
仰向けとなったユーザＡの顔面に対し、図５に示すように、アイマスク本体１を眼鏡を掛けるように両眼を覆って顔面に被せる。
【００２９】
すると、図４に示すように、アイマスク本体１の鼻嵌合部１５がユーザＡの鼻２１に収まるとともに、図１に示すように、アイマスク本体１の当接部１１、１３がユーザＡの両ほお骨７、９に当接して圧接する。
【００３０】
アイマスク本体１は、弾性を有する合成樹脂板から形成されているから、ユーザＡの顔面（頭部）に大小があっても、当接部１１、１３がユーザＡの両ほお骨７、９に弾性的に当接する。当接部１１、１３が長く形成されていれば、両ほお骨７、９間を挟持させて圧接可能である。
【００３１】
そして、図５のような洗髪等を行った後では、単に、アイマスク本体１を取れば良い。
【００３２】
以上説明したように、本発明に係るアイマスクは、弾性を有する横長形状の不透過性合成樹脂板から形成され両眼を覆って顔面に付けられるアイマスク本体１を有し、このアイマスク本体１が当該長手方向両側の先端間を狭めるように弓形に湾曲形成され、それら先端近傍がほお骨７、９に当接する当接部１１、１３を形成し、当該アイマスク本体１の弓形湾曲膨出方向と同方向に湾曲突出された鼻嵌合部１５を一方の長辺１７の中央部から他方の長辺１９に向けて形成した。
【００３３】
そのため、アイマスク本体１を顔面に被せるように乗せるのみで動き難く、鼻嵌合部１５が顔面の鼻２１が収まり、両眼を覆って保持することが可能であり、着脱も容易となって扱い易い。
【００３４】
しかも、アイマスク本体１が不透過性材料で形成されるから、アイマスクを使用するユーザＡから外部が見えにくくなり、洗髪や医療行為に対して安心感も得やすい。
【００３５】
さらに、アイマスク本体１において、鼻嵌合部１５から離れた他方の長辺１９をアイマスク本体１の弓形湾曲膨出方向と逆方向に湾曲形成するから、ユーザＡの額部分との隙間を狭めることが容易で、水しぶきは塵が眼に入るのをより一層防止可能である。
【００３６】
なお、アイマスク本体１は、合成樹脂板から形成する構成に限定されず、撥水性を有する硬質の紙材料その他、弾性を有する剛体板材料により、頭部にあって両耳までに至らない寸法で形成すれば、本発明の目的達成が可能である。
【図面の簡単な説明】
【００３７】
【図１】本発明に係るアイマスクの実施の一形態を示す平面図である。
【図２】図１に係るアイマスクを示す斜視図である。
【図３】図１に係るアイマスクの底面図である。
【図４】本発明のアイマスクに係る断面図（図１中のＩＶ−ＩＶ間断面）である。
【図５】本発明に係るアイマスクの使用例を示す概略斜視図である。
【符号の説明】
【００３８】
１  アイマスク本体
３、５  先端
７、９  ほお骨
１１、１３  当接部
１５  鼻嵌合部
１７、１９  長辺
２１  鼻
Ａ  ユーザ
【図１】
2008289691.tif 000003
【図２】
2008289691.tif 000004
【図３】
2008289691.tif 000005
【図４】
2008289691.tif 000006
【図５】
2008289691.tif 000007